【手続補正書】
【提出日】平成15年10月2日(2003.10.2)
【手続補正１】
【補正対象書類名】特許請求の範囲
【補正対象項目名】全文
【補正方法】変更
【補正の内容】
【特許請求の範囲】
【請求項１】
テレビジョンプログラムを記録する機能をユーザに提供するための、ユーザのテレビジョン装置を有する対話型テレビジョンシステムであって、
対話型テレビジョンプログラムガイド及びパーソナルビデオレコーダ拡張機能が実装されるパーソナルビデオレコーダ準拠装置と、
パーソナルビデオレコーダ準拠装置に接続されるパーソナルビデオレコーダ装置であって、対話型テレビジョンプログラムガイド及びパーソナルビデオレコーダ拡張機能のフルポートを含み、略全ての対話型テレビジョンプログラムガイド機能を提供するパーソナルビデオレコーダ装置と、を含むシステム。
【請求項２】
パーソナルビデオレコーダ準拠装置とパーソナルビデオレコーダ装置とを接続する通信路を更に含む、請求項１記載のシステム。
【請求項３】
通信路がシリアルリンクを含む、請求項２記載のシステム。
【請求項４】
通信路がパラレルリンクを含む、請求項２記載のシステム。
【請求項５】
パーソナルビデオレコーダ準拠装置とパーソナルビデオレコーダ装置とを接続する通信路を更に含み、該通信路が無線赤外線通信リンクを含む、請求項１記載のシステム。
【請求項６】
パーソナルビデオレコーダ準拠装置は、セットトップボックス内に実装される、請求項１記載のシステム。
【請求項７】
パーソナルビデオレコーダ装置は、パーソナルビデオレコーダサイドカー内に実装される、請求項１記載のシステム。
【請求項８】
パーソナルビデオレコーダ準拠装置及びパーソナルビデオレコーダ装置は、単一の筐体ユニットに組み込まれる、請求項１記載のシステム。
【請求項９】
単一の筐体ユニットは、セットトップボックスである、請求項８記載のシステム。
【請求項１０】
取引及び認可に関連する機能はセットトップボックスにより提供される、請求項６記載のシステム。
【請求項１１】
パーソナルビデオレコーダ準拠装置は、パーソナルビデオレコーダ装置が使用されているとき、通過として使用される、請求項１記載のシステム。
【請求項１２】
前記対話型テレビジョンプログラムガイドは、第１の対話型テレビジョンプログラムガイドであり、パーソナルビデオレコーダ装置は、第２の対話型テレビジョンプログラムガイドを実現するように構成されたソフトウェア及びハードウェアを含む、請求項１記載のシステム。
【請求項１３】
第２の対話型テレビジョンプログラムガイドは、第１の対話型テレビジョンプログラムガイドと略類似した機能を提供する、請求項１２記載のシステム。
【請求項１４】
第２の対話型テレビジョンプログラムガイドは、第１の対話型テレビジョンプログラムガイド無しで使用される、請求項１２記載のシステム。
【請求項１５】
第１の対話型テレビジョンプログラムガイドは、第２の対話型テレビジョンプログラムガイド無しで使用される、請求項１２記載のシステム。
【請求項１６】
第１の対話型テレビジョンプログラムガイドは、パーソナルビデオレコーダ装置と通信する、請求項１２記載のシステム。
【請求項１７】
第２の対話型テレビジョンプログラムガイドは、パーソナルビデオレコーダ準拠装置と通信する、請求項１２記載のシステム。
【請求項１８】
テレビジョンプログラムを記録する機能をユーザに提供するための対話型テレビジョンシステムであって、
前記対話型テレビジョンシステムと対話するためにユーザにより使用されるパーソナルビデオレコーダ準拠装置であって、対話型テレビジョンプログラムガイドを実現するように構成されたソフトウェア及びハードウェアと、パーソナルビデオレコーダ拡張機能を実現するように構成されたソフトウェア及びハードウェアと、複数のアプリケーション・プログラミング・インターフェースを実現するように構成されたソフトウェア及びハードウェアとを含む、パーソナルビデオレコーダ準拠装置と、
パーソナルビデオレコーダ準拠装置に接続されるパーソナルビデオレコーダ装置とを含み、アプリケーション・プログラミング・インターフェースは、パーソナルビデオレコーダ準拠装置とパーソナルビデオレコーダ装置の間の通信を容易化するように構成されており、アプリケーション・プログラミング・インターフェースは、パーソナルビデオレコーダ装置がどこでどのように実現されるかに関係なく使用される、システム。
【請求項１９】
前記対話型テレビジョンプログラムガイドは、第１の対話型テレビジョンプログラムガイドであり、パーソナルビデオレコーダ装置は、第２の対話型テレビジョンプログラムガイドを実現するように構成されたソフトウェア及びハードウェアを含む、請求項１８記載のシステム。
【請求項２０】
第２の対話型テレビジョンプログラムガイドは、第１の対話型テレビジョンプログラムガイドと略類似した機能を提供する、請求項１９記載のシステム。
【請求項２１】
パーソナルビデオレコーダ準拠装置は、セットトップボックス内に実装される、請求項１８記載のシステム。
【請求項２２】
パーソナルビデオレコーダ装置は、ユーザのテレビジョン装置の一部としてサイドカー構成内に実装される、請求項１８記載のシステム。
【請求項２３】
パーソナルビデオレコーダ装置は、パーソナルビデオレコーダ準拠装置から離れた位置のサーバー構成内に実装される、請求項１８記載のシステム。
【請求項２４】
パーソナルビデオレコーダ装置は、パーソナルビデオレコーダ準拠装置を備えた筐体型一体化ユニットとして実現される、請求項１８記載のシステム。
【請求項２５】
筐体型一体化ユニットは、セットトップボックスである、請求項２４記載のシステム。
【請求項２６】
複数のアプリケーション・プログラミング・インターフェースのうちの少なくとも１つは、ベンダー特有型アプリケーション・プログラミング・インターフェースである、請求項１８記載のシステム。
【請求項２７】
複数のアプリケーション・プログラミング・インターフェースのうちの少なくとも１つは、ベンダー独立型アプリケーション・プログラミング・インターフェースである、請求項１８記載のシステム。
【請求項２８】
複数のアプリケーション・プログラミング・インターフェースは、パーソナルビデオレコーダ準拠装置に接続されているパーソナルビデオレコーダ装置の種類を決定するように構成されている、請求項１８記載のシステム。
【請求項２９】
テレビジョンプログラムを記録する機能をユーザに提供するための対話型テレビジョンシステムであって、
前記対話型テレビジョンシステムと対話するためにユーザにより使用されるパーソナルビデオレコーダ準拠装置であって、対話型テレビジョンプログラムガイドを実現するように構成されたソフトウェア及びハードウェアと、パーソナルビデオレコーダ拡張機能を実現するように構成されたソフトウェア及びハードウェアと、複数のアプリケーション・プログラミング・インターフェースを実現するように構成されたソフトウェア及びハードウェアとを含む、パーソナルビデオレコーダ準拠装置と、
パーソナルビデオレコーダ準拠装置に接続されるパーソナルビデオレコーダ装置とを含み、
アプリケーション・プログラミング・インターフェースは、パーソナルビデオレコーダ準拠装置とパーソナルビデオレコーダ装置の間の通信を容易化するように構成されており、パーソナルビデオレコーダ拡張機能及びアプリケーション・プログラミング・インターフェースは、対話型テレビジョンプログラムガイドへのパーソナルビデオレコーダ機能のシームレスな統合を提供するように構成された、システム。
【請求項３０】
パーソナルビデオレコーダ拡張機能は、更に、対話型テレビジョンプログラムガイド内に組み込まれたパーソナルビデオレコーダ構成要素のユーザインターフェースの特定モチーフを、対話型テレビジョンプログラムガイドに関連したモチーフに従って維持するように構成された、請求項２９記載のシステム。
【請求項３１】
パーソナルビデオレコーダ拡張機能は、更に、対話型テレビジョンプログラムガイドのユーザが対話型テレビジョンプログラムガイドを用いてパーソナルビデオレコーダ装置に関連した全てのビデオ記録機能を実行できるように構成された、請求項２９記載のシステム。
【請求項３２】
パーソナルビデオレコーダ拡張機能は、更に、対話型テレビジョンプログラムガイドのユーザが記録されるべきプログラムについて当該プログラムが発生する前に予定を組むことができるように構成された、請求項２９記載のシステム。
【請求項３３】
テレビジョンプログラムを記録する機能をユーザに提供するための対話型テレビジョンシステムであって、
前記対話型テレビジョンシステムと対話するためにユーザにより使用されるパーソナルビデオレコーダ装置であって、パーソナルビデオレコーダ拡張機能を実現するように構成されたソフトウェア及びハードウェアと、複数のアプリケーション・プログラミング・インターフェースを実現するように構成されたソフトウェア及びハードウェアとを含む、パーソナルビデオレコーダ装置と、
対話型テレビジョンプログラムガイドを実現するように構成されたソフトウェア及びハードウェアを備えたパーソナルビデオレコーダ準拠装置とを含み、
パーソナルビデオレコーダ準拠装置は、パーソナルビデオレコーダ装置に接続されており、アプリケーション・プログラミング・インターフェースは、パーソナルビデオレコーダ準拠装置とパーソナルビデオレコーダ装置の間の通信を容易化するように構成されており、パーソナルビデオレコーダ拡張機能及びアプリケーション・プログラミング・インターフェースは、対話型テレビジョンプログラムガイドへのパーソナルビデオレコーダ機能のシームレスな統合を提供するように構成された、システム。
【請求項３４】
パーソナルビデオレコーダ拡張機能は、更に、対話型テレビジョンプログラムガイド内に組み込まれたパーソナルビデオレコーダ構成要素のユーザインターフェースの特定モチーフを、対話型テレビジョンプログラムガイドに関連したモチーフに従って維持するように構成された、請求項３３記載のシステム。
【請求項３５】
パーソナルビデオレコーダ拡張機能は、更に、対話型テレビジョンプログラムガイドのユーザが対話型テレビジョンプログラムガイドを用いてパーソナルビデオレコーダ装置に関連した全てのビデオ記録機能を実行できるように構成された、請求項３３記載のシステム。
【請求項３６】
パーソナルビデオレコーダ拡張機能は、更に、対話型テレビジョンプログラムガイドのユーザが記録されるべきプログラムについて当該プログラムが発生する前に予定を組むことができるように構成された、請求項３３記載のシステム。
【請求項３７】
互いに接続されるパーソナルビデオレコーダ準拠装置及びパーソナルビデオレコーダ装置を有するユーザテレビジョン装置を用いて、ユーザに対話型テレビジョンプログラムガイド機能を提供する方法であって、
パーソナルビデオレコーダ準拠装置にコマンドを送ることによってユーザが対話型テレビジョンプログラムガイド機能を制御できるようにし、
パーソナルビデオレコーダ準拠装置で前記コマンドに対応する信号を生成し、
パーソナルビデオレコーダ装置に、パーソナルビデオレコーダ装置によって前記コマンドを実行するために使用される前記信号を通信し、
パーソナルビデオレコーダ装置に接続されているビデオレコーダ装置の種類を決定するように構成されたパーソナルビデオレコーダ・アプリケーション・プログラミング・インターフェースを供給することを含む、方法。
【請求項３８】
対話型テレビジョンプログラムガイドにパーソナルビデオレコーダ装置関連機能をシームレスに統合することを更に含む、請求項３７記載の方法。
【請求項３９】
信号を生成することは、赤外線信号を生成することを含む、請求項３７記載の方法。
【請求項４０】
信号を生成することは、プログラムを記録するためのコマンドを生成することを含む、請求項３７記載の方法。
【請求項４１】
信号を生成することは、記録したプログラムを見るためのコマンドを生成することを含む、請求項３７記載の方法。
【請求項４２】
互いに接続されるパーソナルビデオレコーダ準拠装置及びパーソナルビデオレコーダ装置を有するユーザテレビジョン装置を用いて、ユーザに対話型テレビジョンプログラムガイド機能を提供する方法であって、
パーソナルビデオレコーダ装置にコマンドを通信することによってユーザが対話型テレビジョンプログラムガイド機能を制御できるようにし、
パーソナルビデオレコーダ装置で前記コマンドに対応する信号を生成し、
パーソナルビデオレコーダ準拠装置に前記信号を通信することを含み、該信号が、パーソナルビデオレコーダ準拠装置によって前記コマンドを実行するために使用される、方法。
【請求項４３】
対話型テレビジョンプログラムガイドにパーソナルビデオレコーダ装置関連機能をシームレスに統合することを更に含む、請求項４２記載の方法。
【請求項４４】
パーソナルビデオレコーダ装置に接続されているビデオレコーダ装置の種類を決定するように構成されたパーソナルビデオレコーダ・アプリケーション・プログラミング・インターフェースを供給することを更に含む、請求項４２記載の方法。
【請求項４５】
信号を生成することは、赤外線信号を生成することを含む、請求項４２記載の方法。
【請求項４６】
信号を生成することは、プログラムを記録するためのコマンドを生成することを含む、請求項４２記載の方法。
【請求項４７】
信号を生成することは、記録したプログラムを見るためのコマンドを生成することを含む、請求項４２記載の方法。
【請求項４８】
パーソナルビデオレコーダ準拠装置がパーソナルビデオレコーダ装置と通信できるようにするための方法であって、
パーソナルビデオレコーダ準拠装置にパーソナルビデオレコーダ装置を接続し、
接続されるパーソナルビデオレコーダ装置を検出し、
パーソナルビデオレコーダ装置からの受信した情報に基づいて、使用されているパーソナルビデオレコーダ装置の種類を決定し、
パーソナルビデオレコーダ準拠装置とパーソナルビデオレコーダ装置との間の通信を確立することを含む、方法。
【請求項４９】
使用されているパーソナルビデオレコーダ装置の種類を決定することは、パーソナルビデオレコーダ装置からの情報を要求及び受信するためにハンドシェイクプロトコルを用いることを含む、請求項４８記載の方法。
【請求項５０】
使用されているパーソナルビデオレコーダ装置の種類を決定することは、パーソナルビデオレコーダ装置から受信した情報を解釈するためにアプリケーション・プログラミング・インターフェースを用いることを含む、請求項４８記載の方法。
【請求項５１】
パーソナルビデオレコーダ準拠装置にコマンドを送ることによってユーザが対話型テレビジョンプログラムガイドの機能を制御できるようにし、
パーソナルビデオレコーダ準拠装置で前記コマンドに対応する信号を生成し、
パーソナルビデオレコーダ装置に、パーソナルビデオレコーダ装置によって前記コマンドを実行するために使用される前記信号を通信するための、機械プログラム論理が記録された機械読取り可能媒体。
【請求項５２】
パーソナルビデオレコーダ装置とパーソナルビデオレコーダ準拠装置との間の通信を容易化するための機械プログラム論理が更に記憶された、請求項５１記載の機械読取り可能媒体。
【請求項５３】
前記機械プログラム論理は、アプリケーション・プログラミング・インターフェースを用いることを含む、請求項５１記載の機械読取り可能媒体。
【請求項５４】
記録したプログラムを再生する機能をユーザに提供するための機械プログラム論理が更に記憶された、請求項５１記載の機械読取り可能媒体。
【請求項５５】
前記機械プログラム論理は、記録したプログラムの再生をユーザが操作できるようにすることを含む、請求項５４記載の機械読取り可能媒体。
【請求項５６】
第１の対話型テレビジョンプログラムガイドをパーソナルビデオレコーダ準拠システムに供給し、
第２の対話型テレビジョンプログラムガイドをパーソナルビデオレコーダシステムに供給するための機械プログラム論理が更に記憶された、請求項５１記載の機械読取り可能媒体。
【請求項５７】
第１の対話型テレビジョンプログラムガイドと第２の対話型テレビジョンプログラムガイドを統合するための機械プログラム論理が更に記憶された、請求項５６記載の機械読取り可能媒体。
【請求項５８】
前記機械プログラム論理は、パーソナルビデオレコーダ拡張機能を用いることを含む、請求項５７記載の機械読取り可能媒体。
【請求項５９】
パーソナルビデオレコーダ装置にコマンドを送ることによってユーザが対話型テレビジョンプログラムガイドの機能を制御できるようにし、
パーソナルビデオレコーダ装置で前記コマンドに対応する信号を生成し、
パーソナルビデオレコーダ準拠装置に、パーソナルビデオレコーダ準拠装置によって前記コマンドを実行するために使用される前記信号を通信するための、機械プログラム論理が記録された機械読取り可能媒体。
【請求項６０】
パーソナルビデオレコーダ装置とパーソナルビデオレコーダ準拠装置との間の通信を容易化するための機械プログラム論理が更に記憶された、請求項５９記載の機械読取り可能媒体。
【請求項６１】
前記機械プログラム論理は、アプリケーション・プログラミング・インターフェースを用いることを含む、請求項６０記載の機械読取り可能媒体。
【請求項６２】
記録したプログラムを再生する機能をユーザに提供するための機械プログラム論理が更に記憶された、請求項５９記載の機械読取り可能媒体。
【請求項６３】
前記機械プログラム論理は、記録したプログラムの再生をユーザが操作できるようにすることを含む、請求項６２記載の機械読取り可能媒体。
【請求項６４】
第１の対話型テレビジョンプログラムガイドをパーソナルビデオレコーダ準拠システムに供給し、
第２の対話型テレビジョンプログラムガイドをパーソナルビデオレコーダシステムに供給するための機械プログラム論理が更に記憶された、請求項５９記載の機械読取り可能媒体。
【請求項６５】
第１の対話型テレビジョンプログラムガイドと第２の対話型テレビジョンプログラムガイドを統合するための機械プログラム論理が更に記憶された、請求項６４記載の機械読取り可能媒体。
【請求項６６】
前記機械プログラム論理は、パーソナルビデオレコーダ拡張機能を用いることを含む、請求項６５記載の機械読取り可能媒体。
【請求項６７】
パーソナルビデオレコーダ準拠装置にパーソナルビデオレコーダ装置を接続し、
接続されるパーソナルビデオレコーダ装置を検出し、
パーソナルビデオレコーダ装置から受信した情報に基づいて、使用されているパーソナルビデオレコーダ装置の種類を決定し、
パーソナルビデオレコーダ準拠装置とパーソナルビデオレコーダ装置との間の通信を確立するための、機械プログラム論理が記録された機械読取り可能媒体。
【請求項６８】
テレビジョンプログラムを記録する機能をユーザに提供するための対話型テレビジョンシステムであって、
パーソナルビデオレコーダ準拠装置にコマンドを送ることによってユーザが対話型テレビジョンプログラムガイドの機能を制御できるようにする手段と、
パーソナルビデオレコーダ準拠装置で前記コマンドに対応する信号を生成する手段と、
パーソナルビデオレコーダ装置に、パーソナルビデオレコーダ装置によって前記コマンドを実行するために使用される前記信号を通信する手段とを含む、対話型テレビジョンシステム。
【請求項６９】
テレビジョンプログラムを記録する機能をユーザに提供するための対話型テレビジョンシステムであって、
パーソナルビデオレコーダ装置にコマンドを通信することによってユーザが対話型テレビジョンプログラムガイドの機能を制御できるようにする手段と、
パーソナルビデオレコーダ装置で前記コマンドに対応する信号を生成する手段と、
パーソナルビデオレコーダ準拠装置に、パーソナルビデオレコーダ準拠装置によって前記コマンドを実行するために使用される前記信号を通信する手段とを含む、対話型テレビジョンシステム。
【請求項７０】
テレビジョンプログラムを記録する機能をユーザに提供するための対話型テレビジョンシステムであって、
パーソナルビデオレコーダ準拠装置にパーソナルビデオレコーダ装置を接続する手段と、
接続されるパーソナルビデオレコーダ装置を検出する手段と、
パーソナルビデオレコーダ装置から受信した情報に基づいて、使用されているパーソナルビデオレコーダ装置の種類を決定する手段と、
パーソナルビデオレコーダ準拠装置とパーソナルビデオレコーダ装置との間の通信を確立するする手段とを含む、対話型テレビジョンシステム。
【請求項７１】
セットトップボックスが、該セットトップボックスに接続された少なくとも１つのクライアント装置に対してサーバーとして機能する、クライアント−サーバー構成でセットトップボックスを構成する方法であって、
アプリケーション・プログラミング・インターフェースを用いて前記少なくとも１つのクライアント装置の種類を決定し、
ユーザ入力装置からの要求コマンドをセットトップボックスで受信し、
セットトップボックスを用いて、前記要求信号に関連した情報を有する前記少なくとも１つのクライアント装置に前記要求コマンドを送り、
前記少なくとも１つのクライアント装置で前記要求信号に対する応答を生成し、
前記少なくとも１つのクライアント装置からの前記要求信号に対する応答をセットトップボックスで受信し、
ユーザに前記要求信号に対する応答をセットトップボックスを用いて提供することを含む、方法。
【請求項７２】
前記少なくとも１つのクライアント装置は、パーソナルビデオレコーダを含む、請求項７１記載の方法。
【請求項７３】
前記要求コマンドは、パーソナルビデオレコーダから記録を提供するための要求である、請求項７２記載の方法。
【請求項７４】
ユーザ入力装置と、
入力装置からの要求コマンドを受信するセットトップボックスと、
前記要求コマンドに関連した情報を有し、セットトップボックスに接続される少なくとも１つのクライアント装置であって、セットトップボックスから前記少なくとも１つのクライアント装置に前記要求コマンドが送られ、前記少なくとも１つのクライアント装置が、セットトップボックスに前記要求コマンドに対する応答を送り、ユーザに前記要求コマンドに対する応答がセットトップボックスにより供給される、少なくとも１つのクライアント装置と、
前記少なくとも１つのクライアント装置の種類を決定するように構成されたアプリケーション・プログラミング・インターフェースとを含む、対話型テレビジョンシステム。
【請求項７５】
前記少なくとも１つのクライアント装置が、パーソナルビデオレコーダを含む、請求項７４記載の対話型テレビジョンシステム。
【請求項７６】
前記要求コマンドは、パーソナルビデオレコーダから記録を提供するための要求である、請求項７５記載の対話型テレビジョンシステム。
【請求項７７】
接続された少なくとも１つのクライアント装置に対してサーバーとして機能するセットトップボックスを有する対話型テレビジョンシステムであって、
アプリケーション・プログラミング・インターフェースを用いて前記少なくとも１つのクライアント装置の種類を決定する手段と、
ユーザ入力装置からの要求コマンドをセットトップボックスで受信する手段と、
セットトップボックスを用いて、前記要求信号に関連した情報を有する前記少なくとも１つのクライアント装置に前記要求コマンドを送る手段と、
前記少なくとも１つのクライアント装置で前記要求信号に対する応答を生成する手段と、
前記少なくとも１つのクライアント装置からの前記要求信号に対する応答をセットトップボックスで受信する手段と、
ユーザに前記要求信号に対する応答をセットトップボックスを用いて提供する手段とを含む、対話型テレビジョンシステム。
【請求項７８】
前記少なくとも１つのクライアント装置が、パーソナルビデオレコーダを含む、請求項７７記載の対話型テレビジョンシステム。
【請求項７９】
前記要求コマンドは、パーソナルビデオレコーダから記録を提供するための要求である、請求項７８記載の対話型テレビジョンシステム。
【請求項８０】
アプリケーション・プログラミング・インターフェースを用いて前記少なくとも１つのクライアント装置の種類を決定し、
ユーザ入力装置からの要求コマンドをセットトップボックスで受信し、
セットトップボックスを用いて、前記要求信号に関連した情報を有する前記少なくとも１つのクライアント装置に前記要求コマンドを送り、
前記少なくとも１つのクライアント装置で前記要求信号に対する応答を生成し、
前記少なくとも１つのクライアント装置からの前記要求信号に対する応答をセットトップボックスで受信し、
ユーザに前記要求信号に対する応答をセットトップボックスを用いて提供するための、機械プログラム論理が記録された機械読取り可能媒体。
【請求項８１】
前記少なくとも１つのクライアント装置が、パーソナルビデオレコーダを含む、請求項８０記載の機械読取り可能媒体。
【請求項８２】
前記要求コマンドは、パーソナルビデオレコーダから記録を提供するための要求である、請求項８１記載の機械読取り可能媒体。